(57)【要約】  【課題】  コイル間を連結する渡り線の弛みによるレンズホルダの可動障害を防止することができる光ヘッド装置を提供する。  【解決手段】  光ヘッド装置は、対物レンズを保持するレンズホルダ８０と、レンズホルダ８０上に取り付けられたトラッキング駆動コイル９１、９２と、トラッキング駆動コイル９１、９２を互いに離隔した状態で一続きに連結する渡り線９１ｂとを有し、レンズホルダ８０は、渡り線９１ｂが通されるための長さの異なる複数のルートを形成する凸部８４ｆ、８４ｇを有することを特徴とする。【選択図】  図１４
2009230786.tif 000002
【特許請求の範囲】
【請求項１】
対物レンズを保持するレンズホルダと、前記レンズホルダ上に取り付けられた複数の駆動コイルと、前記複数の駆動コイルを互いに離隔した状態で一続きに連結する渡り線とを有し、
前記レンズホルダは、前記渡り線の弛みをとるための調整部を有することを特徴とする光ヘッド装置。
【請求項２】
前記調整部は、前記渡り線が絡げられる凸部によって構成されていることを特徴とする請求項１に記載の光ヘッド装置。
【請求項３】
前記調整部は、前記レンズホルダの外壁の平面方向に形成された前記渡り線を通すための異なるルートによって構成されていることを特徴とする請求項１に記載の光ヘッド装置。
【請求項４】
前記ルートは、前記レンズホルダの外壁の平面方向の異なる場所に形成された２つ以上のルート形成用凸部によって構成されていることを特徴とする請求項３に記載の光ヘッド装置。
【請求項５】
前記レンズホルダは、外壁側に開口した溝部を有し、該溝部に前記渡り線が絡げられる凸部または前記ルート形成用凸部が内設されていることを特徴とする請求項２または請求項３に記載の光ヘッド装置。
【請求項６】
前記駆動コイルに対向する位置に配置された駆動マグネットを有し、
前記調整部は、前記駆動マグネットと対向する位置に形成されていることを特徴とする請求項１から請求項５までの何れかに記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、対物レンズを保持するレンズホルダとしての可動ベースと、可動ベース上に取り付けられた複数のコイルとを有し、コイルの端末となる線材が可動ベース上の中継基板に半田付けされるときに線材が可動ベースの掛止部に掛けられることによって、可動ベースから浮き上がるたわみが線材に形成されにくくした光ピックアップが知られている（例えば、特許文献１参照。）。
【０００３】
ところで、ノートパソコンに搭載されるようなスリム系の光ヘッド装置においては、対物レンズのトラッキング方向への駆動のために４つのコイルが使用されることが知られている（例えば、特許文献２参照。）。トラッキング方向への駆動のために４つのコイルが使用される構成の場合、４つのコイルをそれぞれ半田などで連結して使用するためにはスペースが足りないことや、４つのコイルをそれぞれ半田などで連結して使用するとレンズホルダの重量が大きくなってしまうことから、一般に４つのコイルが一続きにつながった４連コイルが使用されている。
【特許文献１】特開平９−１６１２８７号公報
【特許文献２】特開２００４−２６５４８０号公報
【発明の開示】
【発明が解決しようとする課題】
【０００４】
しかしながら、４連コイルが使用された従来の光ヘッド装置においては、４連コイルの量産においてコイル巻き治具などのばらつきによってコイル同士を連結する渡り線の長さに個体間でばらつきが生じてしまう結果、渡り線が長い個体では渡り線が弛んでレンズホルダから浮き上がってしまうという問題がある。光ヘッド装置は、レンズホルダから渡り線が浮き上がっていると、レンズホルダから浮き上がった渡り線が他の部材に当たって、レンズホルダの可動障害を引き起こす可能性がある。
【０００５】
ここで、特許文献１の技術を適用することが考えられる。しかしながら、特許文献１の技術は、コイルの端末の処理の技術であるため、コイル間を連結する渡り線に対して適用することはできない。すなわち、端末の長さが設計より長いコイルであったとしても、掛止部に掛けられた部分より先端側の真っ直ぐな部分の長さが長くされることによって弛むことなく調整することができるが、渡り線の長さが設計より長いコイルであったときには弛みをなくすことができない。コイル間を連結する渡り線は、両側にコイルがあるため、渡り線の長さが設計より長いコイルである場合、一方のコイル側の部分を張ると、他方のコイル側の部分が弛んでしまうからである。
【０００６】
本発明は、従来の問題を解決するためになされたもので、コイル間を連結する渡り線の弛みによるレンズホルダの可動障害を防止することができる光ヘッド装置を提供することを目的とする。
【課題を解決するための手段】
【０００７】
本発明の光ヘッド装置は、対物レンズを保持するレンズホルダと、前記レンズホルダ上に取り付けられた複数の駆動コイルと、前記複数の駆動コイルを互いに離隔した状態で一続きに連結する渡り線とを有し、前記レンズホルダは、前記渡り線の弛みをとるための調整部を有することを特徴とする。
【０００８】
この構成により、本発明の光ヘッド装置は、渡り線の弛みによるレンズホルダの可動障害を防止することができる。
【０００９】
本発明の光ヘッド装置の前記調整部は、前記渡り線が絡げられる凸部によって構成されていることを特徴とすることが好ましい。
【００１０】
この構成により、本発明の光ヘッド装置は、レンズホルダの外壁から凸部が突出することを抑制することができ、小型化を実現することができる。
【００１１】
本発明の光ヘッド装置の前記調整部は、前記レンズホルダの外壁の平面方向に形成された前記渡り線を通すための異なるルートによって構成されていることを特徴とすることが好ましい。
【００１２】
この構成により、本発明の光ヘッド装置は、凸部に渡り線が絡げられることによって渡り線の弛みをとる構成と比較して、適するルート内に渡り線が挿入されるだけで良いので渡り線の配置の作業性を向上することができる。
【００１３】
本発明の光ヘッド装置の前記ルートは、前記レンズホルダの外壁の平面方向の異なる場所に形成された２つ以上のルート形成用凸部によって構成されていることを特徴とすることが好ましい。
【００１４】
本発明の光ヘッド装置の前記レンズホルダは、外壁側に開口した溝部を有し、該溝部に前記渡り線が絡げられる凸部または前記ルート形成用凸部が内設されていることを特徴とすることが好ましい。
【００１５】
この構成により、本発明の光ヘッド装置は、レンズホルダの外壁から凸部が突出することを抑制することができ、小型化を実現することができる。
【００１６】
本発明の光ヘッド装置は、前記駆動コイルに対向する位置に配置された駆動マグネットを有し、前記調整部は、前記駆動マグネットと対向する位置に形成されていることを特徴とすることが好ましい。
【００１７】
駆動マグネットと、レンズホルダとの隙間は狭いが、本発明の光ヘッド装置は、駆動マグネットと対向する位置に形成された調整部によって渡り線の弛みを抑えることができるので、駆動マグネットと対向する位置に渡り線が配置されていても、渡り線が駆動マグネットに接触してレンズホルダの可動障害が発生することを防止することができる。
【発明の効果】
【００１８】
本発明によれば、コイル間を連結する渡り線の弛みによるレンズホルダの可動障害を防止することができる光ヘッド装置を提供することができる。
【発明を実施するための最良の形態】
【００１９】
以下、本発明の一実施の形態について、図面を用いて説明する。
【００２０】
まず、本実施の形態に係る光ヘッド装置の構成について説明する。
【００２１】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。
【００２２】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００２３】
図１〜図３に示すように、光ヘッド装置１０は、マグネシウムや亜鉛などのダイカスト品からなる金属製の装置フレーム１１と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０とを備えている。
【００２４】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００２５】
金属カバー１２は、装置フレーム１１の突起１１ｃに嵌まる穴部１２ａと、装置フレーム１１の爪１１ｄに係合する溝部１２ｂとを備えている。
【００２６】
金属カバー１３は、対物レンズ３１から出射されるレーザ光を通過させる穴部１３ａを有しており、対物レンズ駆動機構４０を覆っている。
【００２７】
レーザ光源装置２１、レーザ光源装置２２およびモニタ用受光素子２３は、装置フレーム１１に搭載されており、金属カバー１２によって覆われている。
【００２８】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９とを含んでいる。
【００２９】
偏光プリズム３２、回折素子３３、回折素子３４、リレーレンズ３５、ハーフミラー３６、１／４波長板３７、コリメートレンズ３８および立ち上げミラー３９は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００３０】
フレキシブル回路基板５０は、レーザ光源装置２１と電気的に接続される図示していない端部と、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００３１】
図４は、対物レンズ駆動機構４０の斜視図である。図５（ａ）、（ｂ）は、それぞれ対物レンズ駆動機構４０の平面図、右側面図である。図６（ａ）〜（ｃ）は、それぞれ対物レンズ駆動機構４０の正面図、背面図、底面図である。図４および図６（ａ）においては、後述するゲル状緩衝材の図示を省略している。
【００３２】
図４〜図６に示すように、対物レンズ駆動機構４０は、矢印Ｔｒで示すトラッキング方向において略対称であるので、片側については説明を省略する。対物レンズ駆動機構４０は、装置フレーム１１（図２参照。）に固定された磁性体のヨーク６０と、ヨーク６０に取り付けられた駆動マグネット７１、７２と、対物レンズ３１を保持するレンズホルダ８０と、レンズホルダ８０に取り付けられて駆動マグネット７１、７２とともに矢印Ｔｒで示すトラッキング方向における駆動用の磁気回路を構成する駆動コイルとしてのトラッキング駆動コイル９１、９２と、レンズホルダ８０に取り付けられて駆動マグネット７１、７２とともに矢印Ｆｏで示すフォーカシング方向における駆動用の磁気回路を構成するフォーカシング駆動コイル９３と、レンズホルダ８０に取り付けられて駆動マグネット７１、７２とともに矢印Ｔｉで示すチルト方向における駆動用の磁気回路を構成するチルト駆動コイル９４と、レンズホルダ８０に連結されたワイヤ１０１〜１０３と、ヨーク６０に固定されてワイヤ１０１〜１０３を介してレンズホルダ８０を矢印Ｔｒで示すトラッキング方向、矢印Ｆｏで示すフォーカシング方向および矢印Ｔｉで示すチルト方向に移動可能に支持するホルダ支持部材１１０と、フレキシブル回路基板５０（図２参照。）の図示していない端部およびワイヤ１０１〜１０３と電気的に接続されてホルダ支持部材１１０に固定された基板１２０と、ヨーク６０に対してレンズホルダ８０および基板１２０を固定するネジ１３０とを備えている。
【００３３】
図７（ａ）は、ヨーク６０、ホルダ支持部材１１０および基板１２０の平面図である。図７（ｂ）は、ヨーク６０、ホルダ支持部材１１０および基板１２０の右側面図である。図８（ａ）、（ｂ）は、それぞれ図７（ａ）のＡ−Ａ矢視断面図、Ｂ−Ｂ矢視断面図である。図８（ｂ）においては、後述するゲル状緩衝材の図示を省略している。
【００３４】
図７および図８に示すように、ヨーク６０は、駆動マグネット７１が固定される壁部６１と、壁部６１と平行に配置されて駆動マグネット７２が固定される壁部６２と、壁部６１および壁部６２を連結して装置フレーム１１（図２参照。）に設置される設置部６３と、設置部６３から立ち上げられてフォーカシング駆動コイル９３（図５（ａ）参照。）に挿入される挿入部６４と、壁部６２に対して壁部６１とは反対側で壁部６２と平行に配置された壁部６５と、壁部６２および壁部６５を連結して壁部６２に対して壁部６５を支持する支持部６６とを有している。壁部６１は、駆動マグネット７１の矢印Ｔｒ（図５（ａ）参照。）で示すトラッキング方向の位置決めに使用される円柱状の突起６１ａ、６１ｂと、駆動マグネット７１の矢印Ｆｏ（図５（ｂ）参照。）で示すフォーカシング方向の位置決めに使用される円柱状の突起６１ｃとを有している。壁部６２は、駆動マグネット７２の矢印Ｔｒで示すトラッキング方向の位置決めに使用される円柱状の突起６２ａ、６２ｂと、駆動マグネット７２の矢印Ｆｏで示すフォーカシング方向の位置決めに使用される円柱状の突起６２ｃとを有している。壁部６５は、ネジ１３０が螺合されるネジ穴６５ａと、ネジ穴６５ａの両側に開けられてホルダ支持部材１１０の位置決めに使用される穴６５ｂ（図４参照。）とを有している。
【００３５】
駆動マグネット７１、７２は、ヨーク６０の挿入部６４側がＮ極になっている。
【００３６】
図９は、レンズホルダ８０の正面側から見た斜視図である。図１０は、レンズホルダ８０の分解斜視図である。
【００３７】
図９および図１０に示すように、レンズホルダ８０は、トラッキング駆動コイル９１、９２、フォーカシング駆動コイル９３およびチルト駆動コイル９４と、ワイヤ１０１〜１０３（図４参照。）とを電気的に接続する中継基板８１と、対物レンズ３１（図４参照。）より光記録ディスク側に配置されることによって光記録ディスクと、対物レンズ３１とが接触することを防止する保護部材８２とが接着剤によって貼り付けられている。
【００３８】
中継基板８１は、ワイヤ１０１、１０２、１０３がそれぞれ半田によって接続されるランド８１ａ、８１ｂ、８１ｃと、ランド８１ａと電気的に接続されていてフォーカシング駆動コイル９３が半田によって接続されるランド８１ｄと、ランド８１ｂと電気的に接続されていてトラッキング駆動コイル９１が半田によって接続されるランド８１ｅと、ランド８１ｃと電気的に接続されていてチルト駆動コイル９４が半田によって接続されるランド８１ｆとを有している。
【００３９】
保護部材８２は、対物レンズ３１を固定するためにレンズホルダ８０上に設けられた円弧状突起８３ａの外側に係合する円弧状部分８２ａと、円弧状部分８２ａとは反対側の両端に設けられたＬ字状の切り欠き部８２ｂとを有している。ここで、レンズホルダ８０には、保護部材８２の切り欠き部８２ｂに対応する位置に突起８３ｂが設けられている。保護部材８２は、レンズホルダ８０の上面８３ｃに嫌気性ＵＶ接着剤や揮発性の接着剤が微量だけ塗布された状態でレンズホルダ８０の上面８３ｃに載せられて接着剤によって仮固定された後、切り欠き部８２ｂと、レンズホルダ８０の突起８３ｂとの隙間に紫外線硬化型エポキシなどの硬化後の硬度が高い接着剤が塗布されることによって強力にレンズホルダ８０に固定される。保護部材８２は、レンズホルダ８０の突起８３ｂの存在によって、突起８３ｂ側に倒れることが防止される。
【００４０】
図１１（ａ）、（ｂ）は、それぞれトラッキング駆動コイル９１、９２の正面図、上面図である。
【００４１】
図１１に示すように、トラッキング駆動コイル９１、９２は、４つのコイルが一続きに繋がった４連コイルを構成している。４連コイルのうち両端に配置されているトラッキング駆動コイル９１からは、端末である引き出し線９１ａが出ている。トラッキング駆動コイル９１と、トラッキング駆動コイル９２とからは、トラッキング駆動コイル９１と、トラッキング駆動コイル９２とを互いに離隔した状態で一続きに連結する渡り線９１ｂが出ている。２つのトラッキング駆動コイル９２からは、２つのトラッキング駆動コイル９２を互いに離隔した状態で一続きに連結する渡り線９２ａが出ている。
【００４２】
図１２（ａ）、（ｂ）、（ｃ）は、それぞれレンズホルダ８０の正面図、底面図、背面図である。図１３（ａ）、（ｂ）、（ｃ）は、それぞれレンズホルダ８０の上面図、左側面図、右側面図である。図１４は、レンズホルダ８０の背面側から見た斜視図である。図１５は、レンズホルダ８０の断面斜視図である。図１６（ａ）は、レンズホルダ８０の背面図であって、図１２（ｃ）とは異なる配線状況での図である。図１６（ｂ）は、レンズホルダ８０の背面図であって、図１２（ｃ）および図１６（ａ）とは異なる配線状況での図である。
【００４３】
図１２〜図１５に示すように、トラッキング駆動コイル９１は、レンズホルダ８０の外壁から大きくはみ出すことを抑えるためにレンズホルダ８０の正面側の外壁に設けられた溝部８４ａ内に配置されている。トラッキング駆動コイル９２は、レンズホルダ８０の外壁から大きくはみ出すことを抑えるためにレンズホルダ８０の背面側の外壁に設けられた溝部８４ｂ内に配置されている。トラッキング駆動コイル９１から出た引き出し線９１ａは、レンズホルダ８０の側面側に突出している突起８４ｃに引っ掛けられて中継基板８１のランド８１ｅに半田によって接続されている。トラッキング駆動コイル９１から出た渡り線９１ｂは、レンズホルダ８０の突起８４ｃに引っ掛けられて、中継基板８１と、チルト駆動コイル９４との間の隙間を通って、レンズホルダ８０の背面側の隅で底面側に突出している突起８４ｄと、チルト駆動コイル９４との間の隙間を通って、レンズホルダ８０の背面側に設けられて底部が溝部８４ｂより外壁側に形成され、溝部８４ｂより浅く形成されている溝部８４ｅを通って、溝部８４ｅの底部に設けられて先端が外壁と同一平面になる位置まで突出したルート形成用凸部としての凸部８４ｆに引っ掛けられて、トラッキング駆動コイル９２まで繋がっている。レンズホルダ８０の溝部８４ｅには、凸部８４ｆと同様なルート形成用凸部としての凸部８４ｇが設けられている。渡り線９１ｂは、図１２（ｃ）に示すように凸部８４ｆに引っ掛けられる一番長いルートと、図１６（ａ）に示すように凸部８４ｇに引っ掛けられる２番目に長いルートと、図１６（ｂ）に示すように凸部８４ｆおよび凸部８４ｇの何れにも引っ掛けられない最も短いルートとのうち、長さに応じたルートを通されることが可能である。ここで、凸部８４ｆ、８４ｇは、渡り線９１ｂが通されるための長さの異なる複数のルートを形成する調整部を構成している。２つのトラッキング駆動コイル９２の間を繋ぐ渡り線９２ａは、レンズホルダ８０の背面側に設けられて溝部８４ｂと同じ深さの溝部８４ｈを通されている。引き出し線９１ａ、渡り線９１ｂおよび渡り線９２ａは、トラッキング駆動コイル９１、９２がレンズホルダ８０に固定された後、レンズホルダ８０から浮かないように配設される。
【００４４】
図４〜図６に示すように、トラッキング駆動コイル９１は、矢印Ｆｏで示すフォーカシング方向に延在する２辺のうち１辺が駆動マグネット７１と、ヨーク６０の挿入部６４との間に配置されている。ここで、駆動マグネット７１と、ヨーク６０の挿入部６４との間には、矢印Ｆｏで示すフォーカシング方向と、矢印Ｔｒで示すトラッキング方向との双方に直交する矢印１０ａで示す方向に磁界が発生している。したがって、トラッキング駆動コイル９１は、電流が流されることによって矢印Ｔｒで示すトラッキング方向の電磁力を受け、レンズホルダ８０に固定された対物レンズ３１を矢印Ｔｒで示すトラッキング方向に移動させる。トラッキング駆動コイル９１と、駆動マグネット７１およびヨーク６０の挿入部６４との位置関係について説明したが、トラッキング駆動コイル９２と、駆動マグネット７２およびヨーク６０の挿入部６４との位置関係についても同様である。なお、トラッキング駆動コイル９１、９２の配線は、トラッキング駆動コイル９１、９２に電流が流されたときにトラッキング駆動コイル９１、９２に発生する電磁力によって対物レンズ３１が矢印Ｔｒで示すトラッキング方向のみに移動するように適切に設定されている。
【００４５】
図１２および図１３に示すように、フォーカシング駆動コイル９３は、２つのコイルが一続きに繋がった２連コイルを構成している。２つのフォーカシング駆動コイル９３からは、端末である引き出し線９３ａと、２つのフォーカシング駆動コイル９３を互いに離隔した状態で一続きに連結する渡り線９３ｂとが出ている。
【００４６】
フォーカシング駆動コイル９３は、レンズホルダ８０の正面側に開口した穴８５ａの中に収納されている。フォーカシング駆動コイル９３は、トラッキング駆動コイル９１がレンズホルダ８０に固定される前にレンズホルダ８０の正面側から穴８５ａの中に収納される。フォーカシング駆動コイル９３から出た引き出し線９３ａは、トラッキング駆動コイル９１の背面でレンズホルダ８０の側面に形成された穴８５ｂを通って、中継基板８１のランド８１ｄに半田によって接続されている。２つのフォーカシング駆動コイル９３の間を繋ぐ渡り線９３ｂは、レンズホルダ８０の正面側を通されている。引き出し線９３ａおよび渡り線９３ｂは、フォーカシング駆動コイル９３がレンズホルダ８０に固定された後、レンズホルダ８０から浮かないように配設される。
【００４７】
図４〜図６に示すように、フォーカシング駆動コイル９３は、矢印Ｔｒで示すトラッキング方向に延在する２辺のうち１辺が駆動マグネット７１と、ヨーク６０の挿入部６４との間に配置され、残りの１辺が駆動マグネット７２と、ヨーク６０の挿入部６４との間に配置されている。ここで、駆動マグネット７１およびヨーク６０の挿入部６４の間と、駆動マグネット７２およびヨーク６０の挿入部６４の間とには、矢印１０ａで示す方向であって互いに逆向きの磁界が発生している。したがって、フォーカシング駆動コイル９３は、電流が流されることによって矢印Ｆｏで示すフォーカシング方向の電磁力を受け、レンズホルダ８０に固定された対物レンズ３１を矢印Ｆｏで示すフォーカシング方向に移動させる。
【００４８】
図１２および図１３に示すように、チルト駆動コイル９４は、２つのコイルが一続きに繋がった２連コイルを構成している。２つのチルト駆動コイル９４からは、端末である引き出し線９４ａと、２つのチルト駆動コイル９４を互いに離隔した状態で一続きに連結する渡り線９４ｂとが出ている。
【００４９】
チルト駆動コイル９４は、レンズホルダ８０の底面側に開口した穴８６ａの中に収納されている。チルト駆動コイル９４から出た引き出し線９４ａは、中継基板８１と、チルト駆動コイル９４との間の隙間を通って、中継基板８１のランド８１ｆに半田によって接続されている。２つのチルト駆動コイル９４の間を繋ぐ渡り線９４ｂは、レンズホルダ８０の背面側を通されている。引き出し線９４ａおよび渡り線９４ｂは、チルト駆動コイル９４がレンズホルダ８０に固定された後、レンズホルダ８０から浮かないように配設される。
【００５０】
図４〜図６に示すように、チルト駆動コイル９４は、矢印Ｔｒで示すトラッキング方向に延在する２辺のうち１辺が駆動マグネット７１と、ヨーク６０の挿入部６４との間に配置され、残りの１辺が駆動マグネット７２と、ヨーク６０の挿入部６４との間に配置されている。ここで、駆動マグネット７１およびヨーク６０の挿入部６４の間と、駆動マグネット７２およびヨーク６０の挿入部６４の間とには、矢印１０ａで示す方向であって互いに逆向きの磁界が発生している。したがって、２つのチルト駆動コイル９４は、電流が流されることによって矢印Ｆｏで示すフォーカシング方向の電磁力であって、それぞれ逆向きの電磁力を受け、レンズホルダ８０に固定された対物レンズ３１を矢印Ｔｉで示すチルト方向に移動させる。
【００５１】
ワイヤ１０１〜１０３は、所定のバネ定数を有するワイヤであって、矢印１０ａで示す方向にそれぞれ延在して、矢印Ｔｒで示すトラッキング方向におけるレンズホルダ８０の両側に矢印Ｆｏで示すフォーカシング方向に沿って配設されている。ワイヤ１０１〜１０３は、レンズホルダ８０側の端部でレンズホルダ８０上の中継基板８１を介してそれぞれフォーカシング駆動コイル９３、トラッキング駆動コイル９１、チルト駆動コイル９４に電気的に接続されており、基板１２０側の端部で基板１２０に電気的に接続されている。
【００５２】
ホルダ支持部材１１０は、中央に形成されてネジ１３０を通す図示していない中央穴と、中央穴の両側に形成されて位置決めのためにヨーク６０の穴６５ｂに挿入される突起１１１と、中央穴の両側に形成されて基板１２０の位置決めのために使用される突起１１２と、突起１１１に対して中央穴とは反対側に形成されレンズホルダ８０側に開口してワイヤ１０１〜１０３が挿入されたゲルポット１１３と、ゲルポット１１３に連通し基板１２０側に開口してそれぞれワイヤ１０１、１０２、１０３が挿入された穴１１４、１１５、１１６とを有している。ホルダ支持部材１１０のゲルポット１１３には、ワイヤ１０１〜１０３が埋設されるゲル状緩衝材が封入されている。ゲル状緩衝材は、ワイヤ１０１〜１０３が埋設されることによって、ワイヤ１０１〜１０３に対して固定されたレンズホルダ８０に発生しがちな共振現象を抑制するものである。
【００５３】
基板１２０は、中央に形成されてネジ１３０を通す図示していない中央穴と、中央穴の両側に形成されて位置決めのためにホルダ支持部材１１０の突起１１２が挿入される穴１２１と、穴１２１に対して中央穴とは反対側に形成されてそれぞれワイヤ１０１〜１０３が挿入される貫通穴１２２〜１２４とを有している。
【００５４】
以上に説明したように、光ヘッド装置１０は、トラッキング駆動コイル９１と、トラッキング駆動コイル９２との間の渡り線９１ｂの弛みの程度に応じて渡り線９１ｂが通されるルートが変更されることが可能であるので、量産における個体間のばらつきによって渡り線９１ｂの長さにばらつきがあったとしても、渡り線９１ｂに十分な張力を与えて、渡り線９１ｂの弛みによるレンズホルダ８０の可動障害を防止することができる。また、光ヘッド装置１０は、渡り線９１ｂを通すルートが変更されるだけで渡り線９１ｂの弛みを抑えることができるので、渡り線９１ｂの処理作業を従来より容易化することができる。
【００５５】
また、光ヘッド装置１０は、レンズホルダ８０の外壁側に開口した溝部８４ｅ内に調整部を構成する凸部８４ｆ、８４ｇを有するので、レンズホルダ８０の外壁から凸部８４ｆ、８４ｇが突出することを抑制することができ、小型化を実現することができる。
【００５６】
駆動マグネット７２と、レンズホルダ８０との隙間は狭いが、光ヘッド装置１０は、駆動マグネット７２と対向する位置に形成された凸部８４ｆ、８４ｇによってトラッキング駆動コイル９１と、トラッキング駆動コイル９２との間の渡り線９１ｂの弛みを抑えることができるので、駆動マグネット７２と対向する位置に渡り線９１ｂが配置されていても、渡り線９１ｂが駆動マグネット７２に接触してレンズホルダ８０の可動障害が発生することを防止することができる。
【００５７】
なお、光ヘッド装置１０は、本実施の形態において、トラッキング駆動コイル９１と、トラッキング駆動コイル９２との間の渡り線９１ｂのルート上に調整部を有しているが、本発明によれば、他の渡り線のルート上に調整部を有していても良い。
【００５８】
また、光ヘッド装置１０は、本実施の形態において、調整部として２つの凸部８４ｆ、８４ｇを有しているが、本発明によれば、２つ以外の数の凸部を調整部として有していても良い。
【００５９】
光ヘッド装置１０は、渡り線９１ｂが通されるための長さの異なる複数のルートを調整部が形成しているので、凸部に渡り線９１ｂが絡げられることによって渡り線９１ｂの弛みをとる構成と比較して、適するルート内に渡り線９１ｂが挿入されるだけで良く、渡り線９１ｂの配置の作業性を向上することができる。また、光ヘッド装置１０は、凸部に渡り線９１ｂが絡げられることによって渡り線９１ｂの弛みをとる構成と比較して、ルートの溝部８４ｅの深さが渡り線９１ｂの線径より若干大きい位の深さで十分なのでスペース効率を向上することができる。
【００６０】
なお、光ヘッド装置１０の調整部は、凸部に渡り線９１ｂが絡げられることによって渡り線９１ｂの弛みをとる構成であっても良い。この構成によれば、凸部に渡り線９１ｂが絡げられる回数によって、渡り線９１ｂの弛みが調整されることができる。
【図面の簡単な説明】
【００６１】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示す対物レンズ駆動機構の斜視図であって、ゲル状緩衝材の図示を省略した図である。
【図５】（ａ）図１に示す対物レンズ駆動機構の平面図である。  （ｂ）図１に示す対物レンズ駆動機構の右側面図である。
【図６】（ａ）図１に示す対物レンズ駆動機構の正面図であって、ゲル状緩衝材の図示を省略した図である。  （ｂ）図１に示す対物レンズ駆動機構の背面図である。  （ｃ）図１に示す対物レンズ駆動機構の底面図である。
【図７】（ａ）図２に示すヨーク、ホルダ支持部材および基板の平面図である。  （ｂ）図２に示すヨーク、ホルダ支持部材および基板の右側面図である。
【図８】（ａ）図７（ａ）のＡ−Ａ矢視断面図である。  （ｂ）図７（ａ）のＢ−Ｂ矢視断面図であって、ゲル状緩衝材の図示を省略した図である。
【図９】図１に示すレンズホルダの正面側から見た斜視図である。
【図１０】図１に示すレンズホルダの分解斜視図である。
【図１１】（ａ）図４に示すトラッキング駆動コイルの正面図である。  （ｂ）図４に示すトラッキング駆動コイルの上面図である。
【図１２】（ａ）図１に示すレンズホルダの正面図である。  （ｂ）図１に示すレンズホルダの底面図である。  （ｃ）図１に示すレンズホルダの背面図である。
【図１３】（ａ）図１に示すレンズホルダの上面図である。  （ｂ）図１に示すレンズホルダの左側面図である。  （ｃ）図１に示すレンズホルダの右側面図である。
【図１４】図１に示すレンズホルダの背面側から見た斜視図である。
【図１５】図１に示すレンズホルダの断面斜視図である。
【図１６】（ａ）図１に示すレンズホルダの背面図であって、図１２（ｃ）とは異なる配線状況での図である。  （ｂ）図１に示すレンズホルダの背面図であって、図１２（ｃ）および図１６（ａ）とは異なる配線状況での図である。
【符号の説明】
【００６２】
１０  光ヘッド装置
３１  対物レンズ
７２  駆動マグネット
８０  レンズホルダ
８４ｅ  溝部
８４ｆ、８４ｇ  凸部（ルート形成用凸部）
９１、９２  トラッキング駆動コイル（駆動コイル）
９１ｂ  渡り線
【図１】
2009230786.tif 000003
【図２】
2009230786.tif 000004
【図３】
2009230786.tif 000005
【図４】
2009230786.tif 000006
【図５】
2009230786.tif 000007
【図６】
2009230786.tif 000008
【図７】
2009230786.tif 000009
【図８】
2009230786.tif 000010
【図９】
2009230786.tif 000011
【図１０】
2009230786.tif 000012
【図１１】
2009230786.tif 000013
【図１２】
2009230786.tif 000014
【図１３】
2009230786.tif 000015
【図１４】
2009230786.tif 000016
【図１５】
2009230786.tif 000017
【図１６】
2009230786.tif 000018